(57)【特許請求の範囲】
【請求項１】
着色または色味付けしたコンタクト・レンズの着用を考えている人が、その人の目に着色または色味付けしたコンタクト・レンズとして現れるように、コンタクト・レンズの異なる色または色味のパターンの外観を試行することを可能にする、着色／色味付けしたコンタクト・レンズ試行装置において、
上部に異なる色または色味のコンタクト・レンズ・シミュレーション用のパターンの選択手段を有する透明な支持体を備えており、前記パターンのそれぞれが、特定の色または色味のパターンを有するコンタクト・レンズをシミュレーションして、人が目の上に重ねられた関心の対象である特定の色または色味のパターンと共に鏡で自分の目を観察する時に、前記試行装置が、その人の目の上の前記特定の色または色味のコンタクト・レンズの外観をシミュレーションする、試行装置。
【請求項２】
請求項１に記載の試行装置において、上記透明な支持体が回転可能なディスク部材を有しており、このディスク部材が当該ディスク部材の周縁部分の周りにその周縁部分に沿って離間している複数の異なる色または色味のコンタクト・レンズ・シミュレーション用のパターンを有している、試行装置。
【請求項３】
請求項２に記載の試行装置において、前記試行装置が、前面部および後面部を有する試行用ハウジングを備えており、前記透明な支持体のディスク部材が、この試行用ハウジングの前面部と後面部との間に回転可能に取り付けられている、試行装置。
【請求項４】
請求項３に記載の試行装置において、観察用の孔が前記試行用ハウジングの前面部に形成されており、前記複数の周縁部分に沿って離間している異なる色または色味のコンタクト・レンズ・シミュレーション用のパターンのいずれか一つがこの観察用の孔の中における試行位置に選択的に回転できる、試行装置。
【請求項５】
請求項４に記載の試行装置において、鏡が前記透明な支持体のディスク部材の後方において前記観察用の孔の中に位置付けられており、人がその観察用の孔の中に関心の対象である色または色味のパターンを選択的に位置付けるために前記透明な支持体のディスク部材を回転させることができ、さらに、前記鏡の中において、その人の目の上におけるその特定の色または色味のパターンのコンタクト・レンズの外観を試行できる、試行装置。
【請求項６】
請求項５に記載の試行装置において、前記鏡が前記支持体のディスク部材の後方において前記観察用の孔の中に位置付けられており、さらに、その透明な支持体のディスク部材における一方の外周面に配置されている、試行装置。
【請求項７】
請求項４〜６のいずれかに記載の試行装置において、確認用の孔が前記試行用ハウジングの前面部に形成されており、この孔を通して、試行を行なう人が確認用の印刷された説明により前記観察用の孔の中において試行されている特定のパターンの色および名前を確認することができ、この確認用の印刷された説明が、その名前を付けたパターンが前記観察用の孔の中にある時に、前記確認用の孔を通して見えるように前記回転可能な支持体のディスク部材に印刷されている、試行装置。
【請求項８】
請求項７に記載の試行装置において、前記確認用の印刷された説明が、異なる角度の配向で前記回転可能な支持体のディスク部材に印刷されており、この回転可能な支持体のディスク部材が回転する時に、これらの確認用の印刷が、これに付随しているパターンが前記観察用の孔の中に位置付けられている時に、前記確認用の孔を通して垂直の位置において見える、試行装置。
【請求項９】
請求項３〜８のいずれかに記載の試行装置において、前記試行用ハウジングが、対称形の形状の前面部および後面部を有する単一の打抜きした材料の部材片により形成されており、これらの面部は試行装置ハウジングにおける上方のエッジ部分において１８０°に重ね合わされ、前記材料の部材片の一方の半体部分が試行用ハウジングの前面部を形成し、その材料の部材片の別の半体部分が試行用ハウジングの後面部を形成する、試行装置。
【請求項１０】
請求項３〜８のいずれかに記載の試行装置において、前記試行用ハウジングが、対称形の形状の前面部および後面部を有する単一の打抜きした厚紙の部材片により形成されており、これらの面部は試行装置ハウジングにおける上方のエッジ部分において１８０°に重ね合わされ、前記厚紙の部材片の一方の半体部分が試行用ハウジングの前面部を形成し、その厚紙の部材片の別の半体部分がその試行用ハウジングの後面部を形成する、試行装置。
【請求項１１】
請求項３〜１０のいずれかに記載の試行装置において、前記回転可能な支持体のディスク部材が、当該回転可能な支持体のディスク部材の中心部分を貫通して前記試行用ハウジングの後面部も貫通しているリベット・アイレットによりその試行用ハウジングの前面部と後面部との間において回転するように取り付けられている、試行装置。
【請求項１２】
請求項３〜１０のいずれかに記載の試行装置において、前記回転可能な支持体のディスク部材が、当該回転可能な支持体のディスク部材の中心部分を貫通して前記試行用ハウジングも貫通しているピンによりその試行用ハウジングの前面部と後面部との間において回転するように取り付けられている、試行装置。
【請求項１３】
請求項３〜１２のいずれかに記載の試行装置において、前記試行用ハウジングが、取り扱いおよび使用を容易にするために備えられている下側の下方に延出しているハンドルを有している、試行装置。
【請求項１４】
請求項１３に記載の試行装置において、前記前面部および後面部が、前記下側の下方に延出しているハンドルにおいて一体に固定されている、試行装置。
【請求項１５】
請求項３〜１４のいずれかに記載の試行装置において、ディスク部材の一方のエッジ部分が前記試行用ハウジングを超えて延出して、前記ディスク部材を選択的に手動により回転できるように構成されている、試行装置。
【請求項１６】
請求項１〜１５のいずれかに記載の試行装置において、前記複数の異なる色または色味のコンタクト・レンズ・シミュレーション用のパターンが、円形の形状のパターンおよび環状／トロイド形状のパターンの両方を含む、試行装置。
【請求項１７】
請求項１〜１５のいずれかに記載の試行装置において、前記複数の異なる色または色味のコンタクト・レンズ・シミュレーション用のパターンが、環状／トロイド形状の暗く着色した不透明なパターン、および円形の形状の明るく着色した強調用のパターン含む、試行装置。
【請求項１８】
請求項１〜１５のいずれかに記載の試行装置において、前記複数の異なる色または色味のコンタクト・レンズ・シミュレーション用のパターンが、環状／トロイド形状の緑色の不透明なパターン、環状／トロイド形状の蜜色の不透明なパターン、環状／トロイド形状の青色の不透明パターン、環状／トロイド形状の灰色の不透明パターン、円形形状の水色の強調用パターン、円形形状の青色の強調用パターン、および円形形状の緑色の強調用パターンを含む、試行装置。
【請求項１９】
請求項１に記載の試行装置において、上部に印刷されている複数の異なる色または色味のコンタクト・レンズ・シミュレーション用のパターンを有する透明な支持体の試行装置を備えており、これらのパターンが前記透明な支持体上の異なる位置において確認用の説明をそれぞれ伴っており、試行を行なう人が、関心の対象である選択した色または色味のコンタクト・レンズ・シミュレーション用のパターンをその目の前に配置すると共にその人が外部の鏡から所定の距離だけ離れるように、選択した目の前に前記透明な支持体を保持することにより、人がその目の上にある関心の対象である特定の選択された色または色味のコンタクト・レンズ・パターンの外観を観察することが可能になり、その試行装置をわずかに動かすことにより、その人の自然な目の色の外観とその選択された色または色味のコンタクト・レンズ・シミュレーション用のパターンとの比較が可能になり、さらに、その試行を行なう人がそれぞれの異なるコンタクト・レンズ・シミュレーション用のパターンを順に比較して評価するために、その目の前に複数の異なる色または色味のコンタクト・レンズ・シミュレーション用のパターンのいずれか一つを位置決めするために前記試行装置を選択的に動かすことができる、試行装置。
【発明の詳細な説明】
【０００１】
【発明の属する技術分野】
本発明は一般に着色／色味付けしたコンタクト・レンズ試行装置に関し、特に、着色または色味付けしたコンタクト・レンズを購入または装着することを考慮している人が、その人の目に着色または色味付けしたコンタクト・レンズとして現れるように、コンタクト・レンズの異なる色または色味のパターンの外観を試行することを可能にするための化粧鏡による販売の補助手段となる、着色／色味付けしたコンタクト・レンズ試行装置に関する。
【０００２】
【従来の技術】
着色および色味付けしたコンタクト・レンズはコンタクト・レンズの一般的な容認感の高まり、比較的に大きな個人的外観に対する公衆の感性および改善されたコンタクト・レンズの構造（ソフト・コンタクト・レンズ、酸素透過性のコンタクト・レンズ等）の結果として大きな人気を得ている。
【０００３】
着色および色味付けしたコンタクト・レンズは２種類のおおまかなカテゴリーに分類できる。第１のカテゴリーは本質的に透明な強調色を使用していてそのコンタクト・レンズの色により虹彩の自然な色を増強して新しい外観を作るコンタクト・レンズを含む。このような色味付けしたレンズは一般的に薄茶色の目を水色の目に変えるために使用されることがある。この種類の着色したレンズは下層の暗い色の虹彩を異なる色に変えることはできない。一方、第２のカテゴリーは不透明な種類の色味付けしたレンズを含み、この場合に、このようなコンタクト・レンズの色は自然な虹彩の色を覆い隠してその目の外側に一定の新しい色を提供する。従って、この種類のコンタクト・レンズは茶色の目を青色に変えること等が可能である。
【０００４】
現在においては、眼科医および検眼士のような、着色または色味付けしたレンズを適合させる人が、コンタクト・レンズの色味および患者の自然な虹彩の色の組み合わせた状態により生じる色を患者が見ることができるように、実際に挿入するか、あるいは、患者に挿入させることによりその患者の目に各対のコンタクト・レンズを接触させて、患者が異なる色味付けしたコンタクト・レンズを繰り返して試みるための補助を行なう必要がある。そして、多くの場合に、患者が提供される多くの色からどの色味を注文するかに関して最終的な決定をするために、既に試みた色味付けしたコンタクト・レンズを再び試みることが必要になる。
【０００５】
ラナニ（Ranani）の米国特許第４，７０３，９６４号は色味付けしたレンズの試行装置および適合装置を開示しており、この装置は回転可能な各ディスク部材の中、または各プラグ−イン式レンズ・ホルダーの中、または直接的に支持体の各開口部の中に取り付けた各対の色味付けしたコンタクト・レンズの間隔を変更するためのはさみ式の支持体を有しており、これらの色味付けしたコンタクト・レンズのそれぞれの中心部分を患者の各瞳孔の中心部分に整合できるようになっており、これにより、その色味付けしたコンタクト・レンズの色および患者の各虹彩の色の組み合わされた状態を鏡で見ることができる。
【０００６】
レンズ・ホルダー内の塩水溶液中に色味付けしたコンタクト・レンズを入れてからそのレンズ・ホルダーを閉鎖容器により密封することにより異なる色味のそれぞれに対応する各対のレンズ・ホルダーを別個に準備する必要がある。さらに、同一の色味の一対のソフト・コンタクト・レンズをそれぞれ収容している各対のレンズ・ホルダーを異なる利用可能な色のそれぞれに対応して準備する必要がある。
【０００７】
また、所望とされる色を得るために患者が異なる色味を調べることを可能にするために、眼科医または検眼士の適合者は異なる色味の色味付けした各種のコンタクト・レンズを入れた異なる対のレンズ・ホルダーをレンズ受容器の中に入れる必要があり、これにより、その患者はその結果として得られる色を見てどの色味を注文すべきかを決定する。
【０００８】
また、別の態様において、それぞれが複数の取り付けられた色味付けしたコンタクト・レンズを収容している一対のディスク部材が上記はさみ式の支持体に交換可能に取り付けられて、各ディスク部材を回転すること、あるいは、各ディスクを変えることにより異なる色を見ることができるようになっている。各ディスク部材は１２０度でそれぞれ離間している３個のＵ字形の開口部を有している。各開口部はコンタクト・レンズ・ホルダーの中に１つの色味付けしたコンタクト・レンズを受容するように構成されている。なお、この色味付けしたコンタクト・レンズがソフト・コンタクト・レンズである場合には、このレンズは塩水溶液中に浸漬されている。
【０００９】
動作において、上記の各開口部は異なる色の色味付けしたコンタクト・レンズを収容し、各対のディスク部材はそれぞれの対応する開口部の中の色味が一致している。先ず、患者は、眼科医または検眼士の適合者の補助により、そのはさみ式の支持体の各レバーの間の角度を調節して、垂直方向において上部の各開口部の中におけるコンタクト・レンズの中心部分を患者の各瞳孔の中心部分に整合させる。その後、結果として得られたコンタクト・レンズの色味と患者の虹彩の組み合わされた色が鏡で調べられる。その後、その患者または適合者が各ディスク部材を一体に回転して、上記垂直方向における上部の位置に一致している色味を有する異なる対のコンタクト・レンズを動かし、所望とされる色味が決定されるまで、その結果として得られる組み合わせの色を調べる。従って、それぞれのディスク部材は３種類の異なる色味を見ることを可能にする。また、さらに異なる色味のコンタクト・レンズを伴うさらに別の対のディスク部材を上記の取り付けられたディスクに置き換えることができる。
【００１０】
【特許文献１】
米国特許第４，７０３，９６４号明細書
【００１１】
【発明が解決しようとする課題】
上記ラナニの方法は各レンズ・ホルダーの中に取り付けた実際のコンタクト・レンズを使用する高価な器具を必要とし、さらに、異なる色／色味の各種のコンタクト・レンズを適合して試行する間の一定の眼科医または検眼士の適合者による多大の時間を必要とする。また、このラナニの方法はある程度に手間および時間のかかる適合処理を必要とし、この処理は一対の着色または色味付けしたコンタクト・レンズを上記のはさみ式支持体の中に入れる処理、その着色または色味付けしたコンタクト・レンズを患者のそれぞれの目に整合してその外観を調べる処理、および、その後に、その処理済みの対の着色または色味付けしたコンタクト・レンズを除去して別の対の異なる着色または色味付けしたコンタクト・レンズに置き換える処理、および、その後に、関心の対象であるそれぞれ異なる色または色味またはパターンについて上記の適合処理を繰り返す処理を含む。
【００１２】
【課題を解決するための手段】
従って、本発明の主たる目的は人の目に着色または色味付けしたコンタクト・レンズとして現れるように特定の色または色味のパターンを試行するために着色または色味付けしたコンタクト・レンズを購入または装着しようとその人に考えさせることを可能にするためのコンタクト・レンズの化粧鏡による販売の補助手段としての着色／色味付けしたコンタクト・レンズ試行装置を提供することである。
【００１３】
上記の本発明の試行装置は眼科医または検眼士が色味付けしたコンタクト・レンズを適合させるために必要とされる時間の量を実質的に短縮し、それゆえ、適合させる費用を減らし、さらに、比較的に安価に構成できて容易に使用できる色味付けしたコンタクト・レンズを適合させるための試行装置を提供している。特に、本発明の試行装置は十分に容易に且つ簡単に使用でき、眼科医または検眼士の診察室で個人が（待合室における場合のように）その眼科医または検眼士の補助を要することなく異なる色および色味の各種のコンタクト・レンズを試行できるという点において安価である。
【００１４】
本明細書における各種の教示によれば、本発明は着色または色味付けしたコンタクト・レンズの購入を考えている人または着用を考えている人が、その人の目に着色または色味付けしたコンタクト・レンズとして現れるようにコンタクト・レンズの異なる色または色味のパターンの外観を試行することを可能にするための化粧鏡による販売の補助手段である着色／色味付けしたコンタクト・レンズ試行装置を提供する。この試行装置は異なる色または色味の円形または環状／トロイド形状のパターンの選択手段を有する透明な支持体を備えており、これらのパターンはそれぞれその特定の色または色味のパターンを有するコンタクト・レンズをシミュレーションしている。使用において、人が関心の対象である特定の色または色味のパターンがその人の目に重ねられた状態で鏡の中の自分の目を観察し、この試行装置がその人の目の上におけるその特定の色または色味のコンタクト・レンズの外観をシミュレーションする。
上記の着色／色味付けしたコンタクト・レンズ試行装置における本発明の目的および利点は以下の各添付図面と共に本発明の幾つかの実施形態の詳細な説明を参照することにより当該技術分野における熟練者によりさらに容易に理解できるようになり、これらの図面においては、同一の各構成要素が幾つかの図面を通して同一の参照番号または符号によりそれぞれ示されている。
【００１５】
【発明の実施の形態】
本発明の着色／色味付けしたコンタクト・レンズ試行装置は、着色または色味付けしたコンタクト・レンズの購入を考えている人または着用を考えている人が、その人の目に着色または色味付けしたコンタクト・レンズとして現れるようにコンタクト・レンズの異なる色または色味のパターンの外観を試行することを可能にする。この試行装置は異なる色または色味の円形または環状／トロイド形状のパターンの選択手段を有する透明な支持体を備えており、これらのパターンはそれぞれその特定の色または色味のパターンを有するコンタクト・レンズをシミュレーションしている。使用において、人は、関心の対象である特定の色または色味のパターンが目に重ねられた状態で鏡の中の自分の目を観察し、この試行装置がその人の目の上におけるその特定の色または色味のコンタクト・レンズの外観をシミュレーションする。
【００１６】
着色／色味付けしたコンタクト・レンズ試行装置に関する幾つかの異なる実施形態が本明細書において開示および図示されている。
【００１７】
図１および図２は本発明の試行装置の第１の好ましい実施形態を示しており、この場合に、図１はその試行装置１０の正面図であり、図２は図１における矢印線２−２に沿う試行装置１０の断面図である。この試行装置１０は回転可能に取り付けられているディスク形状の透明な支持体１２を備えており、この支持体１２はその上に印刷されていてその周縁部分に沿って周期的に離間している複数の異なる色または色味の円形または環状／トロイド形状の各種のコンタクト・レンズ・シミュレーション・パターン１４ａ，１４ｂ，１４ｃ，１４ｄ，１４ｅ，１４ｆおよび１４ｇを有している。一例の設計された実施形態において、上記支持体１２は４インチ（約１０ｃｍ）の直径で０．０１２インチ（約０．３ｍｍ）の厚さの無被覆状態のディスク材上に不透明な強調色の名前を伴う７種類の異なる色または色味の各種のコンタクト・レンズ・パターンを陳列している色のコンタクト・レンズ・シミュレーション・パターンが上部に印刷されているＢＸ１８８ペンタクリア（BX 188 Pentaclear）ビニル・フィルムにより形成されている。このペンタクリアＢＸ１８８フィルムはクロックナー・ペンタプラスト・オブ・アメリカ社（Klockner Pentaplast of America, Inc.）から市場において入手可能であり、優れた表面性の透明で光沢の豊かな品質を提供する極めて高い衝撃強さの硬質ホモポリマー・フィルムである。
【００１８】
上記複数の異なる色または色味のコンタクト・レンズ・シミュレーション・パターン１４は任意の選択された組み合わせの色および色味およびパターンを含むことができる。一例の開示されている複数のパターンは環状／トロイド形状の緑色の不透明パターン１４ａ、環状／トロイド形状の蜜色の不透明パターン１４ｂ、環状／トロイド形状の青色の不透明パターン１４ｃ、環状／トロイド形状の灰色の不透明パターン１４ｄ、円形状の水色の強調パターン１４ｅ、円形状の青色の強調パターン１４ｆ、および円形状の緑色の強調パターン１４ｇを含む。一般に、各種の強調パターン１４ｅ，１４ｆおよび１４ｇは円形の形状の明るく着色しているパターンとして示されており、各種の不透明パターン１４ａ，１４ｂ，１４ｃおよび１４ｄは目の網膜に対して光を通過する透明な中央の円形の開口部１７を伴う環状／トロイド形状の比較的に暗く着色したパターンとして示されている。
【００１９】
長方形状の観察孔１６が上記試行用ハウジングの前面部１８内に形成されていて、上記複数の周縁部分に離間している異なる色または色味のコンタクト・レンズ・シミュレーション・パターン１４のいずれか一つがこの試行装置の前面部１８の中に形成されている観察孔１６の中における操作試行位置に選択的に回転可能であり、緑色の不透明パターン１４ａが図１において上記観察孔の中に示されている。さらに、鏡２０が上記観察孔１６中に位置付けられて、符号２２の場所では透明で回転可能なディスク部材１２の後方に、かつ、符号２４の場所では透明で回転可能なディスク部材１２の一方の側になっており、人がその観察孔の中に関心の対象である色または色味のパターンを選択的に位置付けするために上記ディスク部材を回転することができ、その人の目における特定の色または色味のパターンのコンタクト・レンズの外観を鏡２０において試行できる。
【００２０】
さらに、第２の確認孔３４を上記試行用ハウジングの前面部１８に形成することも可能であり、この孔を通して、試行している人は試行される特定のパターンの色およびその名前１５、例えば、上記環状／トロイド形状の緑色の不透明パターン１４ａに付随している緑色の不透明な確認用の印刷１５ａ、および１５ｂ〜１４ｂ，１５ｃ〜１４ｃ，１５ｄ〜１４ｄ，１５ｅ〜１４ｅ，１５ｆ〜１４ｆおよび１５ｇ〜１４ｇ等を確認することができる。さらに、これらの確認用の印刷１５もまた上記観察孔の中にその名前を付けたパターンが適当に位置決めされる時に上記確認孔を通して見えるように回転可能なディスク部材１２の上に印刷されており、それゆえ、これらの確認用の印刷１５は図１において示されているように異なる角度の配向で上記回転可能なディスク部材の上に印刷されている。
【００２１】
好ましい実施形態において、上記試行用ハウジングは上記ディスク部材の大部分を実質的に囲っている硬質の厚紙またはプラスチックの試行用ハウジングにより形成されている。しかしながら、上記ディスク部材を容易に選択的に手動で回転可能にするために、そのディスク部材の一方のエッジ部分３６は試行用ハウジングの一方のエッジ部分３８から延出している。
【００２２】
上記試行装置のハウジングは対称形に成形した前面部１８および後面部２６を有する硬質厚紙の単一の打抜きした部材片により簡単に形成することができ、これらの面部はその試行用ハウジングの上方のエッジ部分２８において１８０°の角度で折り重ねられており、一方の半体部分がその試行用ハウジングの前面部１８を形成して、別の半体部分がその試行用ハウジングの後面部２６を形成している。この試行用ハウジングは好ましくは取り扱いおよび使用を簡単にするための下方に延出しているハンドル３０を備えている。さらに、上記の前面部および後面部は、下方のハンドル部分３０のような、ハウジングの下方部分において適当な接着剤により一体に固定することができる。上記回転可能なディスク部材１２は、この回転可能なディスク部材１２の中心部分および試行用ハウジングの後面部２６を貫通している単純な金属のリベット−アイレットまたはピン３２等により、上記試行用ハウジングの前面部および後面部の間において回転するために適当に取り付けられている。
【００２３】
さらに、着色したロゴおよび商標のような、装飾用または宣伝用の印刷、および／または上記試行装置を使用するための説明書等を上記試行用ハウジングの前面部および後面部のいずれかまたは両方に印刷できる。
【００２４】
図１および図２の実施形態は上記の試行装置および鏡を、その鏡の中に両目が見えるように、顔面から約１２インチ〜１８インチ（３０ｃｍ〜４６ｃｍ）前方に位置付けられた場合に十分に機能し、各種の色または色味のコンタクト・レンズ・シミュレーション・パターンがたいていの人において支配的な目である右目の上に配置されるように設計されている。
【００２５】
一例の設計された実施形態において、手持式の厚紙スリーブが６と１／１６インチ（１５．４ｃｍ）の幅および４と１１／１６インチ（１１．９ｃｍ）の高さの長方形の本体部分を提供しており、この本体部分は上記ハンドルを含み７と３／８インチ（１８．８ｃｍ）の高さであり（折り重ねた寸法）、４種類の着色処理により各種の商標、ロゴおよび説明書と共に印刷されている打抜き処理した０．０２４インチ（６１ｍｍ）のＳＢＳ被覆処理した厚紙により形成されている。また、上記観察孔は２と３／１６インチ（５．６ｃｍ）の幅および１インチ（２．５ｃｍ）の高さであり、上記確認孔は１３／１６インチ（２．１ｃｍ）の幅および６／１６インチ（１．０ｃｍ）の高さである。さらに、３インチ（７．６ｃｍ）×１と１／２インチ（３．８ｃｍ）のアクリル製の鏡が１２インチ〜１８インチ（３０ｃｍ〜４６ｃｍ）の距離からの使用者の目を反射するために窓側において見えるように上記スリーブの内側に接着剤により取り付けられている。また、このスリーブは折り重ね後に適当な位置において閉じるために点接着されている。
【００２６】
図３は本発明の第２の比較的に基本的な実施形態を示しており、この実施形態は上部において複数の異なる色または色味のコンタクト・レンズ・シミュレーション・パターン４２ａ乃至コンタクト・レンズ・シミュレーション・パターン４２ｇが印刷されている透明な支持体の試行装置４０のみを備えており、これらのパターン４２ａ乃至パターン４２ｇには上記透明な支持体上の異なる位置において確認用の説明書４４ａ乃至説明書４４ｇがそれぞれ付随しており、この場合に、上記色または色味のコンタクト・レンズ・シミュレーション・パターン４２ａ乃至コンタクト・レンズ・シミュレーション・パターン４２ｇは一般に図１および図２の実施形態において対応しているパターン１４ａ乃至パターン１４ｇよりも大きい。この試行用ハウジングは好ましくは取り扱いおよび使用を容易にするための下方に延出しているハンドル４６を備えている。使用において、試行を行なう人が選択した色または色味のコンタクト・レンズ・シミュレーション・パターンをその目の前に配置すると共にその人が外部の鏡４８から適当な距離（例えば、１フィート乃至３フィート（３０ｃｍ乃至９１ｃｍ））だけ離れた状態で選択した目の前に上記透明な支持体を保持する。このような構成は人がその目における関心の対象である特定の選択された色または色味のコンタクト・レンズ・パターン４２の外観を観察することを可能にし、その試行装置をわずかに動かすことにより、その人の自然な目の色の外観とその選択された色または色味のコンタクト・レンズ・シミュレーション・パターンとの比較が可能になる。さらに、この試行を行なう人はそれぞれの異なるコンタクト・レンズ・シミュレーション・パターンを比較して評価するために、その目の前に複数の異なる色または色味のコンタクト・レンズ・シミュレーション・パターン４２ａ乃至コンタクト・レンズ・シミュレーション・パターン４２ｇのいずれか一つを位置付けるために上記試行装置を選択的に動かすこともできる。
【００２７】
着色／色味付けしたコンタクト・レンズ試行装置について本発明の幾つかの実施形態およびその変更例を本明細書において詳細に説明したが、これらの本発明の開示および教示が当該技術分野における熟練者に対して多くの代替的な設計を自然に示唆していることが当然に明らかである。
【００２８】
本発明の実施態様は以下の通りである。
（Ａ）  着色または色味付けしたコンタクト・レンズの着用を考えている人が、その人の目に着色または色味付けしたコンタクト・レンズとして現れるように、コンタクト・レンズの異なる色または色味のパターンの外観を試行することを可能にする、着色／色味付けしたコンタクト・レンズ試行装置において、
上部に異なる色または色味のコンタクト・レンズ・シミュレーション用のパターンの選択手段を有する透明な支持体を備えており、前記パターンのそれぞれが、特定の色または色味のパターンを有するコンタクト・レンズをシミュレーションして、人が目の上に重ねられた関心の対象である特定の色または色味のパターンと共に鏡で自分の目を観察する時に、前記試行装置が、その人の目の上の前記特定の色または色味のコンタクト・レンズの外観をシミュレーションする、試行装置。
（１）上記透明な支持体が回転可能なディスク部材を有しており、このディスク部材が当該ディスク部材の周縁部分の周りにその周縁部分に沿って離間している複数の異なる色または色味のコンタクト・レンズ・シミュレーション用のパターンを有している、実施態様（Ａ）に記載の試行装置。
（２）前記試行装置が、前面部および後面部を有する試行用ハウジングを備えており、前記透明な支持体のディスク部材が、この試行用ハウジングの前面部と後面部との間に回転可能に取り付けられている、実施態様（１）に記載の試行装置。
（３）観察用の孔が前記試行用ハウジングの前面部に形成されており、前記複数の周縁部分に沿って離間している異なる色または色味のコンタクト・レンズ・シミュレーション用のパターンのいずれか一つがこの観察用の孔の中における試行位置に選択的に回転できる、実施態様（２）に記載の試行装置。
（４）鏡が前記透明な支持体のディスク部材の後方において前記観察用の孔の中に位置付けられており、人がその観察用の孔の中に関心の対象である色または色味のパターンを選択的に位置付けるために前記透明な支持体のディスク部材を回転させることができ、さらに、前記鏡の中において、その人の目の上におけるその特定の色または色味のパターンのコンタクト・レンズの外観を試行できる、実施態様（３）に記載の試行装置。
（５）前記鏡が前記支持体のディスク部材の後方において前記観察用の孔の中に位置付けられており、さらに、その透明な支持体のディスク部材における一方の外周面に配置されている、実施態様（４）に記載の試行装置。
【００２９】
（６）確認用の孔が前記試行用ハウジングの前面部に形成されており、この孔を通して、試行を行なう人が確認用の印刷された説明により前記観察用の孔の中において試行されている特定のパターンの色および名前を確認することができ、この確認用の印刷された説明が、その名前を付けたパターンが前記観察用の孔の中にある時に、前記確認用の孔を通して見えるように前記回転可能な支持体のディスク部材に印刷されている、実施態様（３）に記載の試行装置。
（７）前記確認用の印刷された説明が、異なる角度の配向で前記回転可能な支持体のディスク部材に印刷されており、この回転可能な支持体のディスク部材が回転する時に、これらの確認用の印刷が、これに付随しているパターンが前記観察用の孔の中に位置付けられている時に、前記確認用の孔を通して垂直の位置において見える、実施態様（６）に記載の試行装置。
（８）前記試行用ハウジングが、対称形の形状の前面部および後面部を有する単一の打抜きした材料の部材片により形成されており、これらの面部は試行装置ハウジングにおける上方のエッジ部分において１８０°に重ね合わされ、前記材料の部材片の一方の半体部分が試行用ハウジングの前面部を形成し、その材料の部材片の別の半体部分が後面部を形成する、実施態様（２）に記載の試行装置。
（９）前記試行用ハウジングが、対称形の形状の前面部および後面部を有する単一の打抜きした厚紙の部材片により形成されており、これらの面部は試行装置ハウジングにおける上方のエッジ部分において１８０°に重ね合わされ、前記厚紙の部材片の一方の半体部分が試行用ハウジングの前面部を形成し、その厚紙の部材片の別の半体部分がその試行用ハウジングの後面部を形成する、実施態様（２）に記載の試行装置。
（１０）前記回転可能な支持体のディスク部材が、当該回転可能な支持体のディスク部材の中心部分を貫通して前記試行用ハウジングの後面部も貫通しているリベット・アイレットによりその試行用ハウジングの前面部と後面部との間において回転するように取り付けられている、実施態様（２）に記載の試行装置。
【００３０】
（１１）前記回転可能な支持体のディスク部材が、当該回転可能な支持体のディスク部材の中心部分を貫通して前記試行用ハウジングも貫通しているピンによりその試行用ハウジングの前面部と後面部との間において回転するように取り付けられている、実施態様（２）に記載の試行装置。
（１２）前記試行用ハウジングが、取り扱いおよび使用を容易にするために備えられている下側の下方に延出しているハンドルを有している、実施態様（２）に記載の試行装置。
（１３）前記前面部および後面部が、前記下側の下方に延出しているハンドルにおいて一体に固定されている、実施態様（１２）に記載の試行装置。
（１４）前記試行用ハウジングの一方のエッジ部分が、前記ディスク部材を選択的に手動により回転できるように構成されている、実施態様（２）に記載の試行装置。
（１５）前記複数の異なる色または色味のコンタクト・レンズ・シミュレーション用のパターンが、円形の形状のパターンおよび環状／トロイド形状のパターンの両方を含む、実施態様（Ａ）に記載の試行装置。
【００３１】
（１６）前記複数の異なる色または色味のコンタクト・レンズ・シミュレーション用のパターンが、環状／トロイド形状の暗く着色した不透明なパターン、および円形の形状の明るく着色した強調用のパターン含む、実施態様（Ａ）に記載の試行装置。
（１７）前記複数の異なる色または色味のコンタクト・レンズ・シミュレーション用のパターンが、環状／トロイド形状の緑色の不透明なパターン、環状／トロイド形状の蜜色の不透明なパターン、環状／トロイド形状の青色の不透明パターン、環状／トロイド形状の灰色の不透明パターン、円形形状の水色の強調用パターン、円形形状の青色の強調用パターン、および円形形状の緑色の強調用パターンを含む、実施態様（１４）に記載の試行装置。
（１８）上部に印刷されている複数の異なる色または色味のコンタクト・レンズ・シミュレーション用のパターンを有する透明な支持体の試行装置を備えており、これらのパターンが前記透明な支持体上の異なる位置において確認用の説明をそれぞれ伴っており、試行を行なう人が、関心の対象である選択した色または色味のコンタクト・レンズ・シミュレーション用のパターンをその目の前に配置すると共にその人が外部の鏡から所定の距離だけ離れるように、選択した目の前に前記透明な支持体を保持することにより、人がその目の上にある関心の対象である特定の選択された色または色味のコンタクト・レンズ・パターンの外観を観察することが可能になり、その試行装置をわずかに動かすことにより、その人の自然な目の色の外観とその選択された色または色味のコンタクト・レンズ・シミュレーション用のパターンとの比較が可能になり、さらに、その試行を行なう人がそれぞれの異なるコンタクト・レンズ・シミュレーション用のパターンを順に比較して評価するために、その目の前に複数の異なる色または色味のコンタクト・レンズ・シミュレーション用のパターンのいずれか一つを位置決めするために前記試行装置を選択的に動かすことができる実施態様（Ａ）に記載の試行装置。
【００３２】
【発明の効果】
従って、本発明によれば、人の目において着色または色味付けしたコンタクト・レンズとして見える特定の色または色味のパターンを試行するために着色または色味付けしたコンタクト・レンズを購入または装着しようとその人に考えさせることを可能にするためのコンタクト・レンズの化粧鏡による販売の補助手段としての着色／色味付けしたコンタクト・レンズ試行装置が提供できる。
【図面の簡単な説明】
【図１】  本発明の試行装置の第１の好ましい実施形態の概略図である。
【図２】  図１における矢印線２−２に沿う図１の試行装置の断面図である。
【図３】  透明な支持体の試行装置のみを含む本発明の第２のさらに基本的な実施形態の概略図である。
【符号の説明】
１０  試行装置
１２  支持体（ディスク部材）
１４ａ乃至１４ｇ  シミュレーション・パターン
１５ａ乃至１５ｇ  色および色の名前
１６  観察用開口部
１７  開口部
１８  前面部
２０  鏡
３０  ハンドル
【図１】
0004173398.tif 000002
【図２】
0004173398.tif 000003
【図３】
0004173398.tif 000004